(57)【要約】【課題】  機能モードの変更に応じてファンユニットの取付位置を変更できるとともに、必要に応じてファンユニットを複数個取り付けることができるようにする。【解決手段】  回路基板１と、この回路基板１に設けられ、発熱するＭＰＵ８と、回路基板１に設けられた取付ステー６と、この取付ステー６に取り付けられＭＰＵ８を冷却するファンユニット７とを備え、取付ステー６は複数の取付エリアを有し、ファンユニット７は取付ステー６の複数の取付エリアの少なくとも一つを選択して取り付けられる。【選択図】      図１
2008140058.tif 000002
【特許請求の範囲】
【請求項１】
回路基板と、
この回路基板に設けられ、発熱する電子部品と、
前記回路基板に設けられた取付手段と、
この取付手段に取り付けられ前記電子部品を冷却するファンユニットと、
を備え、
前記取付手段は複数の取付エリアを有し、
前記ファンユニットは前記取付手段の複数の取付エリアの少なくとも一つを選択して取り付けられることを特徴とする電子機器。
【請求項２】
前記取付手段は、取付ステーと、この取付ステーに設けられた複数個のネジ穴を有し、前記複数個のネジ穴の一部が選択されてファンユニット固定用の固定ネジがねじ込まれることにより前記ファンユニットを前記取付ステーに取り付けることを特徴とする請求項１記載の電子機器。
【請求項３】
前記取付ステーは長方形状の基板部を有し、この基板部に開口部を形成するとともに、この開口部の両側緑部に沿って前記複数個のネジ孔を所定間隔を存して形成したことを特徴とする請求項２記載の電子機器。
【請求項４】
前記取付ステーは前記基板部の一側部側に折曲部を有するとともに他端部側に脚部を有し、前記折曲部及び脚部を介して前記回路基板に固定されることを特徴とする請求項３記載の電子機器。
【請求項５】
前記取付手段は、取付ステーと、この取付ステーに設けられた長孔を有し、この長孔の任意の部位にファンユニット固定用の固定具が挿入されることにより前記ファンユニットを前記取付ステーに取り付けることを特徴とする請求項１記載の電子機器。
【請求項６】
前記取付ステーは長方形状の基板部を有し、この基板部に開口部を形成するとともに、この開口部の両側緑部に沿って前記長孔を形成したことを特徴とする請求項５記載の電子機器。
【請求項７】
前記取付ステーは前記基板部の一側部側に折曲部を有するとともに他端部側に脚部を有し、前記折曲部及び脚部を介して前記回路基板に固定されることを特徴とする請求項６記載の電子機器。
【発明の詳細な説明】
【技術分野】
【０００１】
本発明は、電子部品を冷却するためのファンユニットを搭載する電子機器に関する。
【背景技術】
【０００２】
一般に、パーソナルコンピュータなどの電子機器においては、回路基板にＩＣ、ＬＳＩ、ＭＰＵ等（以下、ＭＰＵと略す）を配設しているが、文字、音声、及び画像のような多様のマルチメディア情報を処理するため、ＭＰＵの処理速度の高速化や、多機能化が推し進められている。
【０００３】
このＭＰＵは、高い集積化や高性能化に伴って消費電力が増大し、動作中の発熱量もこれに比例して増大する傾向にある。
【０００４】
このため、ＭＰＵを機器の内部に収納する場合には、ＭＰＵの放熱性を高める必要があり、電動式のファンユニットなどの冷却手段が必要とされている（例えば、特許文献１参照。）。
【特許文献１】特開２０００−１３０７０号
【発明の開示】
【発明が解決しようとする課題】
【０００５】
しかしながら、従来においては、ファンユニットの取付位置が一箇所に固定されていたため、機能モードの変更などにより発熱箇所が変化した場合や、オプションユニットの増設等により機器内温度が上昇した場合などには、適切に冷却することができなくなるという問題があった。
【０００６】
本発明は上記事情に着目してなされたもので、その目的とするところは、ファンユニットの取付位置を変更でき、また、必要に応じてファンユニットを複数個取り付けることができるようにした電子機器を提供することにある。
【課題を解決するための手段】
【０００７】
上記課題を解決するため、請求項１記載のものは、回路基板と、この回路基板に設けられ、発熱する電子部品と、前記回路基板に設けられた取付手段と、この取付手段に取り付けられ前記電子部品を冷却するファンユニットとを備え、前記取付手段は複数の取付エリアを有し、前記ファンユニットは前記取付手段の複数の取付エリアの少なくとも一つを選択して取り付けられることを特徴とする。
【発明の効果】
【０００８】
本発明によれば、機能モードの変更などにより発熱箇所が変化した場合でも、良好に冷却でき、また、オプションユニットの増設等により機器内温度が上昇する場合でも、最適な冷却を可能とする。
【発明を実施するための最良の形態】
【０００９】
以下、本発明を図面に示す実施の形態を参照して詳細に説明する。  
図１は本発明の一実施の形態であるポータブルコンピュータなどの電子機器の電子回路ユニットを示す平面図で、図２はその正面図、図３はその一側面図、図４はその他側面図である。
【００１０】
電子回路ユニットは回路基板１を備え、この回路基板１には電子機器のマザーボードに接続するコネクタ２が設けられているとともに、電子機器から抜くためのクランプ３が設けられている。
【００１１】
回路基板１の上面一側部側にはパネル４が立設され、このパネル４はその下端部が固定ネジ１３によって回路基板１に固定されている。このパネル４には各種の電気部品類５ａ〜５ｃが取り付けられている。
【００１２】
また、回路基板１の上面一端部側には発熱する電子部品としてのＭＰＵ（microprosessing unit）８が設けられている。このＭＰＵ８は、高集積化や、高性能化に伴って消費電力が増加し、動作中の発熱量が増大する傾向にあり、冷却が必要とされる。
【００１３】
さらに、回路基板１の上面一端部側には取付手段としての取付ステー６が設けられ、取付ステー６の裏面側にはファンユニット７が取り付けられている。ファンユニット７はＭＰＵ８に離間対向する状態で設けられている。取付ステー６はその一端部側が固定ネジ９によってパネル４に固定され、他端部側の後述する脚部の下端部がネジ１０によって回路基板１に固定されている。
【００１４】
図５は上記した電子回路ユニットの回路基板１を示す平面図で、図６はその一側面図である。回路基板１の部品実装及びパターン形成禁止エリア１２，１２には固定ネジ１３を挿通させるネジ挿通孔１ａ，１ａが穿設されている。また、パネル４には固定ネジ９を挿通させるためのネジ挿通孔４ａ，４ａが穿設されている。
【００１５】
図７乃至図１０は、上記した取付ステー６及びこの取付ステー６に取り付けられるファンユニット７を示すものである。
【００１６】
取付ステー６は長方形状の基板部６ａを有し、この基板部６ａには開口部６ａ′が形成されている。また、この基板部６ａには開口部６ａ′の両側緑部に沿って所定間隔を存して複数個（２２個）のネジ穴１４ａ〜１４ｋ、１５ａ〜１５ｋがそれぞれ穿設されている。
【００１７】
ファンユニット７はその四角部に４本の固定ネジ１１が挿入され、その挿入端部が複数個のネジ穴１４ａ〜１４ｋ、１５ａ〜１５ｋのうちの例えば、４個のネジ穴１４ｄ，１４ｉ、１５ｄ，１５ｉを選択してそれぞれねじ込まれることにより固定される。
【００１８】
即ち、複数個のネジ穴１４ａ〜１４ｋ、１５ａ〜１５ｋのうちの任意の４個を選択して固定ネジ１１をネジ込むことにより、複数の取付エリアのうちの所望する取付エリアにファンユニット７を取り付けることができるようになっている。
【００１９】
一方、取付ステー６の一端部には折曲部６ｂが形成され、この折曲部６ｂには固定ネジ９をねじ込ませるためのネジ穴６ｃが形成されている。取付ステー６の他端部には一対の脚部６ｄが形成され、これら脚部６ｄの下端部には固定ネジ１０をねじ込ませるためのネジ穴６ｅが形成されている。
【００２０】
次に、回路基板１に対する取付ステー６の取付方法について説明する。
【００２１】
まず、図１１に示すように回路基板１の一側部にパネル４を固定ネジ１３によって固定する。ついで、図１２に示すように取付ステー６を回路基板１に離間対向させてその一側部側の折曲部６ｂを固定ネジ９によってパネル４に固定し、さらに、取付ステー６の他側部側の脚部６ｄの下端部を固定ネジ１０によって回路基板１に固定する。これにより、図１３にも示すようにファンユニット７がＭＰＵ８に離間対向する状態で回路基板１に取り付けられることになる。
【００２２】
このように取付ステー６が取り付けられた状態で、ファンユニット７が回転させると、冷却風が送風されてＭＰＵ８が冷却されることになる。
【００２３】
ところで、電子回路ユニットにおいては、その機能モードが変更されると、発熱箇所が変化してしまうことがある。このような場合には、図１３に示すようにファンユニット７がＭＰＵ８に対向する取付位置では、適切な冷却が期待できなくなる。
【００２４】
そこで、この実施の形態においては、発熱箇所が変化した場合には、それに応じてファンユニット７の取付位置を例えば、図１４に示すように取付ステー６の一端部側、或いは図１５に示すように、取付ステー６の他端部側に取付位置を変更する。
【００２５】
例えば、取付ステー６の一端部側の取付エリアにファンユニット７を取り付ける場合には、例えば、ネジ穴１４ａ，１４ｆ、及び１５ａ，１５ｆを選択し、これらネジ穴１４ａ，１４ｆ、及び１５ａ，１５ｆに固定ネジ１１をそれぞれねじ込んでファンユニット７を固定する。
【００２６】
また、取付ステー６の他端部側の取付エリアにファンユニット７を取り付ける場合には、例えば、ネジ穴１４ｆ，１４ｋ、及び１５ｆ，１５ｋを選択し、これらネジ穴１４ｆ，１４ｋ、及び１５ｆ，１５ｋに固定ネジ１１をそれぞれねじ込んでファンユニット７を固定する。
【００２７】
このように発熱箇所の変更に対応してファンユニット７の取付位置を変更することにより、発熱箇所に適切に冷却風を送風することができ、良好な冷却が可能となる。
【００２８】
また、この実施の形態によれば、図１６に示すように、ファンユニット７を複数個（２個）取り付けることも可能である。
【００２９】
電子回路ユニット内にオプションユニットが増設されると、電子回路ユニット内の温度が上昇してしまう。このような場合には、ファンユニット７が一個のみでは、十分な冷却効果が期待できなくなる虞があるが、ファンユニット７を複数個取り付けることにより、冷却能力を増大させて電子回路ユニット内の温度上昇を確実に防止することが可能となる。
【００３０】
図１７は本発明の第２の実施の形態を示すものである。
【００３１】
なお、上記第１の実施の形態で示した部分と同一部分については、同一番号を付してその説明を省略する。
【００３２】
上記した第１の実施の形態では、取付ステー６に複数個のネジ穴１４ａ〜１４ｋ、１５ａ〜１５ｋを設け、そのネジ穴を任意に選択して固定ネジ１１をねじ込むことにより、ファンユニット７の取付けるようにしたが、この第２の実施の形態では、取付ステー６の上面部に開口部６ａ′の両側緑部に沿って長穴２１，２２を穿設し、この長穴２１，２２内に固定具としてのボルト２３を挿入してその挿通端にナット２４をねじ込むことによりファンユニット７を取付けている。
【００３３】
この第２の実施の形態によっても、ファンユニット７の取付位置を変更することができる。
【００３４】
例えば、ファンユニット７を取付位置を例えば図１８に示すように取付ステー６の一端部側に変更する場合には、ファンユニット７を取付ステー６の一端部側に位置させたのち、ファンユニット７の四角部にボルト２３を挿入して長穴２１，２２にそれぞれ挿入してその挿通端部にナット２４をそれぞれねじ込んで固定する。
【００３５】
また、ファンユニット７を取付位置を例えば図１９に示すように取付ステー６の他端部側に変更する場合には、ファンユニット７を取付ステー６の他端部側に位置させたのち、ファンユニット７の四角部にボルト２３を挿入して長穴２１，２２にそれぞれ挿入してその挿通端部にナット２４をそれぞれねじ込んで固定する。
【００３６】
この第２の実施の形態によっても上記第１の実施の形態と同様に、発熱箇所の変更に対応してファンユニット７の取付位置を変更して、発熱箇所に適切に冷却風を送風することができ、良好な冷却が可能となる。
【００３７】
さらに、この第２の実施の形態おいても、図２０に示すように、ファンユニット７を複数個（２個）取り付けることが可能であり、ファンユニット７を複数個取り付けることにより、冷却風の送風量を増大させて電子回路ユニット内の温度上昇を確実に防止することができる。
【００３８】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００３９】
【図１】本発明の一実施の形態である電子回路ユニットを示す平面図。
【図２】図１の電子回路ユニットを示す正面図。
【図３】図１の電子回路ユニットを示す一側面図。
【図４】図１の電子回路ユニットを示す他側面図。
【図５】図１の電子回路ユニットの回路基板を示す平面図。
【図６】図５の回路基板の一側面図。
【図７】図１の電子回路ユニットのファンユニットを取り付ける取付ステーを示す平面図。
【図８】図７の取付ステーを示す正面図。
【図９】図７の取付ステーを示す一側面図。
【図１０】図７の取付ステーを示す他側面図。
【図１１】図１の電子回路ユニットの組立方法を示す図。
【図１２】図１の電子回路ユニットの組立方法を示す図。
【図１３】組み立てられた電子回路ユニットを示す平面図。
【図１４】ファンユニットの取付位置が取付ステーの一端部側に変更された状態を示す図。
【図１５】ファンユニットの取付位置が取付ステーの他端部側に変更された状態を示す図。
【図１６】取付ステーにファンユニットが複数個取り付けられた状態を示す平面図。
【図１７】本発明の第２の実施の形態であるファンユニットの取付構造を示す図。
【図１８】図１７のファンユニットの取付位置が取付ステーの一端部側に変更された状態を示す図。
【図１９】図１７のファンユニットの取付位置が取付ステーの他端部側に変更された状態を示す図。
【図２０】取付ステーにファンユニットが複数個取り付けられた状態を示す図。
【符号の説明】
【００４０】
１…回路基板、６…取付ステー（取付手段）、６ａ…長方形状の基板部、６ａ′…開口部、６ｂ…折曲部、６ｄ…脚部、７…ファンユニット、８…ＭＰＵ（電子部品）、１４ａ〜１４ｋ…ネジ穴、１５ａ〜１５ｋ…ネジ穴、１１…ファンユニット固定用の固定ネジ、２１，２２…長孔、２３…ボルト（ファンユニット固定用の固定具）、２４…ナット（ファンユニット固定用の固定具）。
【図１】
2008140058.tif 000003
【図２】
2008140058.tif 000004
【図３】
2008140058.tif 000005
【図４】
2008140058.tif 000006
【図５】
2008140058.tif 000007
【図６】
2008140058.tif 000008
【図７】
2008140058.tif 000009
【図８】
2008140058.tif 000010
【図９】
2008140058.tif 000011
【図１０】
2008140058.tif 000012
【図１１】
2008140058.tif 000013
【図１２】
2008140058.tif 000014
【図１３】
2008140058.tif 000015
【図１４】
2008140058.tif 000016
【図１５】
2008140058.tif 000017
【図１６】
2008140058.tif 000018
【図１７】
2008140058.tif 000019
【図１８】
2008140058.tif 000020
【図１９】
2008140058.tif 000021
【図２０】
2008140058.tif 000022